(57)【特許請求の範囲】
【請求項１】
釣竿の竿体に配置される前記竿体に着脱自在に装着可能な筒状のグリップ本体と、前記グリップ本体が前記竿体に装着された状態で前記グリップ本体を固定する固定手段とを備えた釣竿用グリップであって、
前記グリップ本体は、略半円筒状の第１グリップ片と略半円筒状の第２グリップ片とを有し、
前記第１グリップ片と前記第２グリップ片は竿体の両側から組み合わされて前記竿体に装着され、
前記第１グリップ片及び第２グリップ片が前記竿体に接する面に設けられた滑止部材をさらに備え、
前記第１グリップ片及び第２グリップ片の対抗面の開口側には、凸状に突出した複数の凸部が噛み合うように形成されている、釣竿用グリップ。
【請求項２】
魚釣りに用いる釣竿であって、竿体と、前記竿体の竿元側端部に固定された竿元グリップと、前記竿体の前記竿元グリップの穂先側に配置された請求項１に記載の釣竿用グリップとを備えた釣竿。
【発明の詳細な説明】
【０００１】
【発明の属する技術分野】
本発明は釣竿に設けられユーザが把持するグリップ及びこれを備えた釣竿に関する。
【０００２】
【従来の技術】
従来の釣竿は、竿体と、竿体の竿元側端部に固定された竿元グリップと、竿元グリップの穂先側に形成されリールを固定可能なリールシートと、リールシートの穂先側に固定された前グリップとを有している。このような従来の釣竿では、ユーザは竿元グリップと前グリップとを把持してキャスティング等の操作を行う。
【０００３】
また、従来の別の釣竿には前グリップを有していないものもある。このような前グリップを有しない従来の釣竿は、比較的軽量の魚を釣り上げるために用いられるものであり、ユーザは竿元グリップを把持しながらキャスティング等の操作を行う。
【０００４】
【発明が解決しようとする課題】
釣竿を長期にわたって使用していると、使用時に強く把持するグリップの損傷が目立つようになる場合がある。また、魚等に触れた手で把持したグリップは魚の生臭さがうつってしまい、臭いを発生するようになる場合もある。このような場合、従来の釣竿ではグリップのみを交換することができず、グリップを交換したい場合には釣竿ごと交換する必要があった。
【０００５】
また、前グリップがついていない従来の釣竿を使用している際にも、状況に応じて前グリップを取り付けて釣りを行いたい場合もある。本発明の課題は、交換可能な釣竿用のグリップ及びこれを備えた釣竿を提供することにある。
【０００６】
【課題を解決するための手段】
発明１にかかる釣竿用グリップは、釣竿の竿体に配置される前記竿体に着脱自在に装着可能な筒状のグリップ本体と、前記グリップ本体が前記竿体に装着された状態で前記グリップ本体を固定する固定手段とを備えた釣竿用グリップであって、前記グリップ本体は、略半円筒状の第１グリップ片と略半円筒状の第２グリップ片とを有し、前記第１グリップ片と前記第２グリップ片は竿体の両側から組み合わされて前記竿体に装着され、前記第１グリップ片及び第２グリップ片が前記竿体に接する面に設けられた滑止部材をさらに備え、前記第１グリップ片及び第２グリップ片の対抗面の開口側には、凸状に突出した複数の凸部が噛み合うように形成されている。この場合には、釣竿を長期にわたって使用してグリップが損傷してしまった場合や、ユーザが必要と思うグリップがついていない釣竿を使用する際に、グリップ本体を竿体の任意の位置に装着して固定手段で固定する。この結果、グリップが痛んでしまった場合に釣竿ごと交換する必要もなく、また、必要に応じてグリップを任意の箇所に固定でき、釣竿の操作性も向上する。さらに、滑止部材が竿体に取り付けられた第１グリップ片及び第２グリップ片の竿体上での軸方向及び周方向への移動回転を抑えるので、グリップの竿体上での安定性が向上して釣竿の操作性がより向上する。
【００１０】
発明２にかかる釣竿は、魚釣りに用いる釣竿であって、竿体と、竿体の竿元側端部に固定された竿元グリップと、竿体の竿元グリップの穂先側に配置された発明１に記載の釣竿用グリップとを備えている。
【００１１】
【発明の実施の形態】
［第１実施形態］
以下、本発明の第１実施形態について図面を参照しつつ説明する。
本発明の第１実施実施形態を採用した釣竿は、竿体１と、竿体１の竿元側端部に固定された竿元グリップ２と、竿体１の竿元グリップ２の穂先側に形成されリール３を装着可能なリールシート４と、リールシート４の穂先側に固定された中間グリップ５と、前記中間グリップの穂先側の任意の箇所に脱着自在に装着された前グリップ６とを有している。また、前グリップ６の穂先側の竿体１には複数のガイドリング７が配置されており、リール３からの釣糸はガイドリング７を順次通って穂先側に導かれている。
【００１２】
図２〜４に示すように、前グリップ６は、円筒状の本体部１１と、本体部１１の穂先側及び竿元側付近にそれぞれ配置されたバンド部材１２とを有している。
本体部１１は、略半円筒状の１対の半割部材１１ａ，１１ｂからなる円筒型の部材である。本体部１１は発泡ポリウレタン等の発泡合成樹脂からなる。この半割部材１１ａ，１１ｂは、図４に示すように、後に詳しく説明するバンド部材１２によって、半割部材１１ａ、１１ｂの対向面の一端側が連結された状態で周方向に開口可能である。また、半割部材１１ａ、１１ｂの対向面の開口側には、それぞれ凸状に突出した複数の凸部１１ｃが互いに噛み合うように形成されている。また、半割部材１１ａ，１１ｂの対向面の中央付近にはそれぞれ半円筒状に窪んだ窪み部が形成されており、この窪み部は竿体１の外周径にほぼ合致するように形成されている。そして、窪み部の内周面には、天然ゴム，イソプレンゴムなどの合成ゴム等からなる滑止部材２０が配置されている。この滑止部材２０は窪み部に接着剤等で接着されて固定されている。
【００１３】
１対のバンド部材１２は、本体部１１の穂先側及び竿元側の軸方向端部にそれぞれ周方向にわたって配置されている。このバンド部材１２は伸縮自在なゴム製部材であり、外周面は後述の面ファスナ１３が装着可能なファスナー面１２ａとなっている。また、図３及び図４に詳しく示すように、一方の半割部材１１ａ及び他方の半割部材１１ｂを開口側の反対側で連結するように、バンド部材１２は一方の半割部材１１ａの外周面から他方の半割部材１１ｂの外周面へ貼り付けられている。このバンド部材１２の一端は他方の半割部材１１ｂの外周を経て、さらに開口側から一方のグリップ片１１ａ側に延伸している。そして、このバンド部材１２の一端の内周面には面ファスナー１３が形成されている。
【００１４】
この前グリップ６は以下の手順で竿体１に脱着される。
竿体１に前グリップ６を固定する際には、窪み部に竿体１を配置しながら本体部１１の半割部材１１ａ，１１ｂで竿体１を両側から挟み込む。この際、凸部１１ｃを噛み合わせて半割部材１１ａ，１１ｂを仮固定する。続いて、１対のバンド部１２をそれぞれ本体部１１に強く巻回して、バンド部１２の先端の面ファスナー１３をバンド部１２の外周面に形成されたファスナ−面１２ａに貼り付け、本体部１１を固定する。また、前グリップ６を取り外す場合は逆の手順で行う。
【００１５】
このように構成された釣竿では、釣竿を長期にわたって使用して前グリップ６が損傷してしまった場合、または前グリップ６が必要と思われる場合に、任意の箇所に前グリップ６を取り付けまたは取り外しできるので、前グリップ６が痛んでしまった場合に釣竿ごと交換する必要もなく、また、必要に応じて前グリップ６を任意の箇所に固定でき、釣竿の操作性が向上する。また、前グリップ６を竿体１に取り付けた際には、滑止部材２０が前グリップ６の軸方向及び周方向への回転を抑える。
【００１６】
［第２実施形態］
以下、本発明の第２実施形態について図面を参照しつつ説明する。
本発明の第２実施実施形態を採用した釣竿の前グリップは、図５及び図６に示すように、円筒状の本体部２１と、本体部２１の穂先側及び竿元側にそれぞれ形成され他の部分より小径に形成された１対の突出部２２と、突出部２２に脱着可能にそれぞれ取り付けられる１対のキャップ部２３とを有している。
【００１７】
本体部２１は、略半円筒状の１対の半割部材２１ａ，２１ｂからなる円筒型の部材である。本体部２１は発泡ポリウレタン等の発泡合成樹脂からなる。この半割部材２１ａ，２１ｂは、それぞれ凸状に突出した凸部２１ｃが噛み合うように対向する面に形成されている。また、半割部材２１ａ，２１ｂの対向する面の中央付近にはそれぞれ半円筒状に窪んだ窪み部が形成されており、この窪み部は竿体１の外周径にほぼ合致するように形成されている。さらに、窪み部の内周面には、天然ゴム，イソプレンゴムなどの合成ゴム等からなる滑止部材２０が配置されている。この滑止部材２０は窪み部に接着剤等で接着されて固定されている。
【００１８】
突出部２２は本体部２１の半割部材２１ａ，２１ｂに連続して形成された部材である。本体部２１の窪み部及び窪み部に配置された滑止部材２０は突出部２２にも連続して設けられている。
１対のキャップ部２３は、先細りのテーパ状に形成された筒状部材であり、軸方向に切れ目２３ａを有しており周方向に回動しながら切れ目２３ａから開口可能になっている。この開口部付近には複数の突起２３ｂと突起２３ｂに係合する被係合部２３ｃとが形成されている。このキャップ部２３の内径は突出部２２の外径に合致するように形成されており、突出部２２を内部に挟み込みながら固定可能になっている。
【００１９】
この前グリップは以下の手順で竿体１に脱着される。
竿体１に前グリップを固定する際には、窪み部に竿体１を配置しながら本体部２１の１対の半割部材２１ａ，２１ｂで竿体１を両側から挟み込む。この際、凸部２１ｃを噛み合わせて半割部材２１ａ，２１ｂを仮固定する。続いて、キャップ部２３を突出部２２に取り付けて固定する。具体的には、キャップ部２３を切れ目２３ａから開口させてキャップ部２３内に突出部２２を包み込む。そして、突起２３ｂを被係合部２３ｃに係合させ、突出部２２とともに本体部２１を固定する。前グリップを取り外す場合は逆の手順で行う。
【００２０】
このように構成された釣竿では、第１実施形態と同様の作用効果を奏する。
［第３実施形態］
以下、本発明の第３実施形態について図面を参照しつつ説明する。
本発明の第３実施実施形態を採用した釣竿の前グリップは、図７に示すように、円筒状の本体部３１と、本体部３１の外周面に螺旋状に形成された溝部３２と、溝部３２の一方の終端部に形成された係止部３３と、溝部３２の他方の終端部に連結された紐部材３４とを有している。
【００２１】
本体部３１は、略半円筒状の１対の半割部材３１ａ，３１ｂからなる円筒型の部材である。この半割部材３１ａ，３１ｂの対向する面の中央付近にはそれぞれ半円筒状に窪んだ窪み部（図示せず）が形成されており、この窪み部は竿体１の外周径にほぼ合致するように形成されている。さらに、窪み部の内周面には、天然ゴム，イソプレンゴムなどの合成ゴム等からなる滑止部材（図示せず）が配置されている。この滑止部材は窪み部に接着剤等で接着されて固定されている。
【００２２】
溝部３２は本体部３１の外周面に螺旋状に彫り込まれて形成されている。紐部材３４が収納される程度の深さ及び溝巾で形成されている。この溝部３２の螺旋状の一方の終端部には溝巾が他の部分に比べて狭くなるように溝の両側から突出した係止部３３が形成されている。
紐部材３４はナイロン等の合成繊維から形成される。弾力性を有する繊維が混入されており多少の伸縮性を有するものを用いるのが好ましい。紐部材３４の一端は溝部３２の他方の周縁部に連結されており、他端側は自由になっている。
【００２３】
竿体１に前グリップを固定する際には、窪み部に竿体１を配置しながら本体部３１の１対の半割部材３１ａ，３１ｂで竿体１を両側から挟み込む。続いて、紐部材３４を溝部３２に順次巻き付けて本体部３１を十分に固定する。溝部３２に巻き終えた紐部材３４の他端は、係止部３３に挟み込んで係止する。この前グリップを取り外す場合は逆の手順で行う。
【００２４】
このように構成された釣竿では、第１実施形態と同様の作用効果を奏する。
［第４実施形態］
以下、本発明の第４実施形態について図面を参照しつつ説明する。
本発明の第４実施実施形態を採用した釣竿の前グリップは、図８に示すように、円筒状の本体部４１と、本体部４１の外周面に形成された複数のくさび穴４２と、くさび穴４２にはめ込み可能なくさび４３とを有している。
【００２５】
本体部４１は、略半円筒状の１対の半割部材４１ａ，４１ｂからなる円筒型の部材である。この半割部材４１ａ，４１ｂの対向する面の中央付近にはそれぞれ半円筒状に窪んだ窪み部（図示せず）が形成されており、この窪み部は竿体１の外周径にほぼ合致するように形成されている。さらに、窪み部の内周面には、天然ゴム，イソプレンゴムなどの合成ゴム等からなる滑止部材（図示せず）が配置されている。この滑止部材は窪み部に接着剤等で接着されて固定されている。
【００２６】
くさび穴４２は、本体部４１の周面に１対の半割部材４１ａ，４１ｂにわたって形成されている。そしてこのくさび穴４２には、くさび穴４２に合致するくさび４３が取り外し可能にはめ込まれている。
竿体１に前グリップを固定する際には、窪み部に竿体１を配置しながら本体部４１の１対の半割部材４１ａ，４１ｂで竿体１を両側から挟み込む。続いて、くさび穴４２にくさび４３をはめ込んで半割部材４１ａ，４１ｂを固定する。この前グリップを取り外す場合は逆の手順で行う。
【００２７】
このように構成された釣竿では、第１実施形態と同様の作用効果を奏する。
［他の実施形態］
（ａ）上記実施の形態では、前グリップ６のみが竿体１に脱着自在であるが、これに限定されるものではない。即ち、中間グリップ５及び竿元グリップ２についても、同様に脱着自在にしてもよい。
（ｂ）グリップ片には凸部を形成しなくてもよい。
（ｃ）バンド部材を設けることなく、右グリップ片と左グリップ片とに直接面ファスナー等の固定手段を設けてもよい。
【００２８】
【発明の効果】
本発明によれば、交換可能な釣竿用のグリップ及びこれを提供できる。
【図面の簡単な説明】
【図１】本発明の第１実施形態を採用した釣竿の全体図。
【図２】図１の前グリップの拡大図。
【図３】図２のIII−III断面図。
【図４】図３の各グリップ片を取り外した図。
【図５】本発明の第２実施形態を採用した前グリップを示した図。
【図６】図５のVI−VI断面図。
【図７】本発明の第３実施形態を採用した前グリップを示した図。
【図８】本発明の第４実施形態を採用した前グリップを示した図。
【符号の説明】
１  竿体
２  竿元グリップ
５  中間グリップ
６  前グリップ
１１，２１，３１，４１  本体部
１２  バンド部材
１３  面ファスナ
２０  滑止部材
２２  突出部
２３  キャップ部
３２  溝部
３３  係止部
３４  紐部材
４２  くさび穴
４３  くさび
【図１】
0003985921.tif 000002
【図２】
0003985921.tif 000003
【図３】
0003985921.tif 000004
【図４】
0003985921.tif 000005
【図５】
0003985921.tif 000006
【図６】
0003985921.tif 000007
【図７】
0003985921.tif 000008
【図８】
0003985921.tif 000009